(57)【要約】【課題】撮像部と各種機器と機械的かつ電気的に結合する撮像装置の電源切中に行う、撮像部と各種機器の機械的かつ電気的な結合の着脱回数を管理する。【課題を解決するための手段】撮像部と各種機器と機械的かつ電気的に結合する撮像装置において、前記撮像部と前記機器両方に突起部位を備え、該突起部位の有無を検知する手段を前記撮像部と前記機器互いに有し、相手の突起部位が検知された際、値を更新する機械的計数手段と、該計数値を表示する手段を有する。【選択図】図１
2012100011.tif 000002
【特許請求の範囲】
【請求項１】
撮像部と各種機器と機械的かつ電気的に結合する撮像装置において、前記撮像部と前記機器両方に突起部位を備え、該突起部位の有無を検知する手段を前記撮像部と前記機器互いに有し、相手の突起部位が検知された際、値を更新する機械的計数手段と、該計数値を表示する手段を有することを特徴とする撮像装置である。
【発明の詳細な説明】
【技術分野】
【０００１】
本発明は、撮像部と各種機器とを機械的かつ電気的に結合する撮像装置に関するものである。
【背景技術】
【０００２】
従来のテレビジョンカメラ装置（以下、カメラと称す）においては、そのカメラのカメラ本体（撮像部）及び撮像部に接続されるレンズには、例えば、ＶＴＲ（ビデオテープレコーダ）やＩＣメモリレコーダ等の映像情報を記憶するための映像記憶部（以下、ＶＴＲ等と称す）が撮像部に機械的かつ電気的に結合された場合に、撮像部から出力される映像信号を記録するため、ＶＴＲ等における記録動作のスタート／ストップを制御するスイッチ（ＶＴＲスイッチ、あるいはＶＴＲＳＷとも称す）がそれぞれ１つづつ設けられている。
【０００３】
レンズに有するＶＴＲスイッチ（ＶＴＲＳＷ）には送り返し映像を選択する機能を割り当てたものとし、撮像部に有するスイッチ（ＶＴＲＳＷ）には呼び出し機能を割り当てたものとすることにより、ＶＴＲ等を撮像部に機械的かつ電気的に結合しないで運用される撮像装置において、上記２つの機能を別々に動作させるためのスイッチを、従来のカメラと比べてスイッチ回路の数を増やすことなく実現することが行われている（特許文献１参照）。
【０００４】
撮像部と、用途、目的に対応した各種機器とを、機械的かつ電気的に結合する撮像装置のシステム構成例を図４に示す。
【０００５】
図４では１台の撮像部１に、（ａ）光ファイバアダプタ２−１、（ｂ）トライアキシャルアダプタ２−２、（ｃ）記録部２−３、（ｄ）無線送信部２−４、の各種機器を機械的かつ電気的に結合して運用する。
【０００６】
従来から装置を使用（電源入中）した時間を累積し、その累積値をもとに機器の保守を行う装置は幾種かある。
さらに、各種機器を機械的かつ電気的に結合する着脱によるコネクタの磨耗による障害を未然に保守する必要がある。
【先行技術文献】
【特許文献】
【０００７】
【特許文献１】特開平１１−１６８６４９号公報
【発明の概要】
【発明が解決しようとする課題】
【０００８】
撮像部と各種機器と機械的かつ電気的に結合する撮像装置の電源切中に行う、撮像部と各種機器の機械的かつ電気的な結合の着脱回数管理が本発明の目的である。
【課題を解決するための手段】
【０００９】
本発明は、上記課題を解決するため、撮像部と各種装置と機械的かつ電気的に結合する撮像装置において、撮像部と各種装置両方に突起部位を備え、該突起部位の有無を検知する手段を互いに有し、相手の突起部位が検知された際、値を更新する機械的計数手段と、該計数値を表示する手段を有することを特徴とする撮像装置である。
【発明の効果】
【００１０】
本発明によれば、撮像部と各種機器と機械的かつ電気的に結合する撮像装置の電源切中に行う、撮像部と各種機器の機械的かつ電気的な結合の着脱回数を確認することができる。
【図面の簡単な説明】
【００１１】
【図１】本発明の一実施例の結合回数検出と表示との模式図（（ａ）分離状態、（ｂ）結合状態）
【図２】本発明の一実施例の撮像部と各種機器との結合の模式図（（ａ）光アダプタ、（ｂ）トライアックスアダプタ、（ｃ）記録部、（ｄ）無線送信部）
【図３】従来の撮像部と各種機器との結合の模式図（（ａ）光アダプタ、（ｂ）トライアックスアダプタ、（ｃ）記録部、（ｄ）無線送信部）
【図４】本発明の一実施例の記録部と記録デバイス結合の模式図
【図５】本発明の一実施例の結合回数検出の突起部の模式図
【発明を実施するための形態】
【実施例１】
【００１２】
本発明による撮像装置の一実施例を、本発明の一実施例の結合回数検出と表示との模式図の図１と本発明の一実施例の撮像部と各種機器との結合の模式図
の図２とを用いて説明する。
【００１３】
本発明の一実施例の結合回数検出と表示との模式図の図１の撮像部１０は、従来の各種機器との結合の模式図の図３の従来の撮像部１に着脱回数計数機１１、検知部１２、突起部１３が付加されたものである。また、本発明の一実施例の結合回数検出と表示との模式図の図１のアダプタ２０は、従来の各種機器との結合の模式図の図３の従来のアダプタ２に着脱回数計数機２１、検知部２２、突起部２３が付加されたものである。
【００１４】
図１（ｂ）はカメラ１０とアダプタ２０を装着した状態を示す。アダプタ２０がカメラ１０に装着されると、カメラ１０の検知部１２がアダプタ２０の突起部２３を検知し、着脱回数計数機１１の計数値が増減する。
一方、アダプタ２０の検知部２２がカメラ１０の突起部１３を検知し、着脱回数計数機２１の計数値が増減する。着脱回数計数機１１の値が所定の値に達したらコネクタ１４を交換し、着脱回数計数機１１の値を初期化（０回）する。
また、着脱回数計数機２１の値が所定の値に達したらコネクタ２４を交換し、着脱回数計数機２１の値を初期化（０回）する。
【００１５】
以上の動作により、運用形態に適したコネクタ交換時期がわかり、機器の保守性、動作信頼性が向上する。
各機器の着脱回数を的確に把握できるので、特にカメラ、アダプタを複数台組み合わせて運用する場合、この効果は大きい。
【００１６】
本発明の一実施例の撮像部と各種機器との結合の模式図の図２は、従来の撮像部と各種機器との結合の模式図の図３に、着脱回数計数機１１、着脱回数計数機２１を備えた例であり、撮像部１０に、（ａ）光アダプタ、（ｂ）トライアックスアダプタ、（ｃ）記録部、（ｄ）無線送信部を取り付けた場合である。
【００１７】
なお、着脱回数計数機１１、着脱回数計数機２１で計数する値は各機器の着脱回数であり、機器の電源が切れているとき（内臓バッテリ等の残なし）の計数が必須である。よって、着脱回数計数機の構造はメカニカル（本書には記載していないが、例えば、手持数取器の釦を図１の突起部２３が押し込む）方式が望ましい。
【実施例２】
【００１８】
本発明の一実施例の記録部と記録デバイス結合の模式図の図４を用い、実施例２を説明する。図４において、５のメディア記録アダプタ２０−３についても前述同様、記録デバイスコネクタ１５−１の記録デバイス取り外し釦１５−２が手持数取器の釦を押し込む方式（構造）が望ましい。
【実施例３】
【００１９】
本発明の一実施例の結合回数検出の突起部の模式図の図５を用い、実施例３を説明する。図５において、突起部の形状を図５のように各機器別に異形にすることで、カメラ、アダプタ勘合時、互いに相手の機能を認識し、相手に合わせた動作モードに自動切替させることも可能である。
【符号の説明】
【００２０】
１，１０：撮像部、２，２０：各種機器、
２−１，２０−１：光ファイバアダプタ
２−２，２０−２：トライアックスアダプタ
２−３，２０−３：記録部
２−４，２０−４：無線伝送部
１１：着脱回数計数機、１２：検知部、１３：突起部、１４：コネクタ
１５：記録部、１５−１：記録部コネクタ、１５−２：記録部取り外し釦
２１：着脱回数計数機、２２：検知部、２３：突起部、２４：コネクタ
【図１】
2012100011.tif 000003
【図２】
2012100011.tif 000004
【図３】
2012100011.tif 000005
【図４】
2012100011.tif 000006
【図５】
2012100011.tif 000007